(57)【要約】【課題】入出力装置と光ディスクとのアクセス状況だけでなくエラー情報についてもアクセスランプによってユーザに正確に把握させることができ、かつ、アクセスランプの視認性を保つことができる光ディスク装置を提供する。【解決手段】筐体１と、動作状況を報知する筐体面上の発光素子５及び筐体外部の発光素子７と、前記筐体面上の発光素子５及び前記筐体外部の発光素子７を制御信号によって制御する筐体内部の制御装置３とを備えた光ディスク装置１００であって、前記制御装置１００には、前記制御信号を通信する第１の通信経路４及び第２の通信経路６のそれぞれ一端が接続され、前記筐体面上の発光素子５には、前記第１の通信経路４の他端が内部で接続され、前記筐体外部の発光素子７には、前記第２の通信経路６の他端が外部で接続されることを特徴とする。【選択図】図１
2008010044.tif 000002
【特許請求の範囲】
【請求項１】
筐体と、動作状況を報知する筐体面上の報知手段及び筐体外部の報知手段と、前記筐体面上の報知手段及び前記筐体外部の報知手段を制御信号によって制御する筐体内部の制御装置とを備えた光ディスク装置であって、
前記制御装置には、前記制御信号を通信する第１の通信経路及び第２の通信経路のそれぞれ一端が接続され、
前記筐体面上の報知手段には、前記第１の通信経路の他端が接続され、
前記筐体外部の報知手段には、前記第２の通信経路の他端が接続されることを特徴とする、光ディスク装置。
【請求項２】
前記制御装置は、第１の信号発生器と第２の信号発生器とを含み、それぞれの信号発生器に入力されるデータから異なる制御信号を出力し、一方の制御信号を前記第１の通信経路で前記第１の報知手段に送信し、他方の制御信号を前記第２の通信経路で前記第２の報知手段に送信することを特徴とする、請求項１に記載の光ディスク装置。
【請求項３】
前記信号発生器のいずれか一方に入力されるデータは、外部から入力されることを特徴とする、請求項２に記載の光ディスク装置。
【請求項４】
前記第２の通信経路の途中には、出力端子が形成されることを特徴とする、請求項１から３のいずれか１項に記載の光ディスク装置。
【請求項５】
前記出力端子は、前記筐体面上の報知手段が形成される面と異なる面に形成されることを特徴とする、請求項１から４のいずれか１項に記載の光ディスク装置。
【請求項６】
前記報知手段は、発光素子であることを特徴とする、請求項１から５のいずれか１項に記載の光ディスク装置。
【請求項７】
前記報知手段は、発音素子であることを特徴とする、請求項１から５のいずれか１項に記載の光ディスク装置。
【請求項８】
前記報知手段は、振動モータを備えた入力装置であることを特徴とする、請求項１から５のいずれか１項に記載の光ディスク装置。
【発明の詳細な説明】
【技術分野】
【０００１】
本発明は、光ディスク装置に関し、特に光ディスクへのアクセス状況等が正確に把握できる光ディスク装置に関する。
【背景技術】
【０００２】
ＣＤ（Compact Disc）やＤＶＤ（Digital Versatile Disc）などのディスク状記録媒体（以下、光ディスクという。）を駆動する光ディスク装置の前面には、一般的に特許文献１に示すようなアクセスランプ（発光素子）が形成されている。
【０００３】
このアクセスランプは、例えば特許文献１に示すように、ＣＰＵと高駆動能力ポートを有する高駆動能力型１チップコントローラによって制御され、点灯、点滅や消灯を通して、ＰＣ(Personal Computer)等の入出力装置が前記光ディスクに対しアクセス中であるか否か等の情報をユーザに視認させる役割を果たしている。
【０００４】
ここで、アクセスランプの点滅の仕組みについて図面を参照して簡単に説明する。図５は、光ディスク装置４００を模式的に示す平面図である。図５に示すように光ディスク装置４００にはＣＰＵ等の制御装置３７が内蔵される。制御装置３７はアクセスランプ３９を点滅させる信号を発生する点滅信号発生器４１を備え、当該点滅信号発生器４１はアクセスランプ３９に接続される。
【０００５】
また、制御装置３７には点滅パターンのデータ（以下、点滅パターンデータという。）が記憶される記憶装置４３が接続される。点滅パターンとは、光ディスク装置の状態、例えば、光ディスクにアクセス中の状態であるか否か、光ディスクに記録されている情報を読み込むことができないといったエラー状態であるか、等をいくつかのパターン化された点滅によってそれぞれの状態を表したものである。
【０００６】
さらに、上述した光ディスク装置４００の状態はいくつかの種類の数値にコード化されている。したがって、コード化された光ディスク装置の状態のデータ（以下、状態コードデータという。）に、点滅パターンデータを割り当てることで、光ディスク装置４００の状態が点滅パターンとして一義的に決定される。
【０００７】
この割り当ては点滅信号発生器４１で行われ、そして、アクセスランプ３９の点滅の基準となるクロック信号（以下、点滅基準クロック信号という。）がさらに付与されることで点滅信号が発生し、当該点滅信号がアクセスランプ３９に出力されることで、アクセスランプ３９が点滅することになる。
【０００８】
上述したアクセスランプ３９以外にも、デザインの観点からアクセスランプ３９が光ディスク装置４００の前面に形成されずに、図６に示すように、入出力装置５００に内蔵されるマザーボード４５に搭載され、その入出力装置５００を覆う入出力装置用筐体４７の外部に露出させるようにしたアクセスランプ４９も知られている。
【０００９】
このようなアクセスランプ４９では、マザーボード４５に搭載される入出力装置用制御装置５１がＡＴＡ(Advanced Technology Attachment)等で規格化された通信路５３上のデータ送受信を検出して、入出力装置５００と光ディスク５５とのアクセス状況を把握し、入出力装置用出力端子５７を介してアクセスランプ４９の点灯等を制御している。
【特許文献１】特開平１１−９６７４３号公報  図６及び図７
【発明の開示】
【発明が解決しようとする課題】
【００１０】
このように、マザーボードに搭載された制御装置は光ディスクとアクセス中であるか否かを検出してアクセスランプを点灯等させるように制御することはできるが、例えば、光ディスクが破損等しており、記録されている情報を読み込むことができない等のエラーに関する情報（以下、エラー情報という。）に対しては、当該制御装置ではアクセスランプの点灯等を制御できないという問題点があった。
【００１１】
また、近年ではユーザの嗜好によりユーザ自身が光ディスク装置を搭載した入出力装置を組み立てることも多い。図６を参照して説明すると、ユーザによる自作の入出力装置５００においては、例えば、垂直方向に移動可能な蓋５９を光ディスク装置４００の前面を覆うように組み立ててしまうこともある。これによって、ユーザはアクセス状況やエラー情報等をアクセスランプ３９によって把握させることができないという問題点もある。
【００１２】
本発明はこのような問題点に鑑みてなされたものであり、入出力装置と光ディスクとのアクセス状況だけでなくエラー情報についてもアクセスランプによってユーザに正確に把握させることができ、かつ、アクセスランプの視認性を保つことができる光ディスク装置を提供する。
【課題を解決するための手段】
【００１３】
上述した問題点を解決するために、本発明の光ディスク装置は、筐体と、動作状況を報知する筐体面上の報知手段及び筐体外部の報知手段と、前記筐体面上の報知手段及び前記筐体外部の報知手段を制御信号によって制御する筐体内部の制御装置とを備えた光ディスク装置であって、前記制御装置には、前記制御信号を通信する第１の通信経路及び第２の通信経路のそれぞれ一端が接続され、前記筐体面上の報知手段には、前記第１の通信経路の他端が接続され、前記筐体外部の報知手段には、前記第２の通信経路の他端が接続されることを特徴とする。このような構成により、筐体面上の報知手段によって光ディスク装置の状態を報知できない状況にあっても、他の経路を介した筐体外部の報知手段によってユーザに光ディスク装置の駆動状態を報知させることが可能となる。
【００１４】
また、本発明は、前記制御装置が、前記制御装置は、第１の信号発生器と第２の信号発生器とを含み、それぞれの信号発生器に入力されるデータから異なる制御信号を出力し、一方の制御信号を前記第１の通信経路で前記第１の報知手段に送信し、他方の制御信号を前記第２の通信経路で前記第２の報知手段に送信することを特徴とする。このような構成により、第１の報知手段による報知と異なる制御信号で第２の報知手段からユーザに光ディスク装置の状態を報知させることができる。
【００１５】
また、本発明は、前記信号発生器のいずれか一方に入力されるデータが、外部から入力されることを特徴とする。このような構成により、ユーザは外部に設置される入出力装置を操作し、所望のデータを入力することで、当該データから得られる信号によって光ディスク装置の状態を把握することができる。
【００１６】
また、本発明は、前記第２の通信経路の途中には、出力端子が形成されることを特徴とする。このような構成により、例えば、着脱可能な報知手段などを簡易に取り付けることが可能となる。
【００１７】
また、本発明は、前記出力端子は、前記筐体面上の報知手段が形成される面と異なる面に形成されることを特徴とする。報知手段が前面に形成された場合に出力端子が同一の面に形成されれば、光ディスク装置が筐体に覆われた際、出力端子が筐体と接触してしまう可能性があるが、異なる面に形成されることで、このような問題を回避することができる。
【００１８】
また、本発明は、前記報知手段は、発光素子であることを特徴とする。発光素子を点滅等させることで、ユーザは視覚によって光ディスク装置の駆動状態を把握することができる。
【００１９】
また、本発明は、前記報知手段は、発音素子であることを特徴とする。発音素子から音を発生させることで、ユーザは聴覚によって光ディスク装置の駆動状態を把握することができる。
【００２０】
また、本発明は、前記報知手段は、振動モータを備えた入力装置であることを特徴とする。入力装置を振動モータで振動させることで、入力装置を握ったユーザは触覚によって光ディスク装置の駆動状態を把握することができる。
【発明の効果】
【００２１】
本発明に係る光ディスク装置によれば、マザーボードを介さずに直接光ディスク装置に搭載される制御装置によって報知手段を制御することができ、エラー情報などを正確に報知手段を通じてユーザに把握させることができる。
【発明を実施するための最良の形態】
【００２２】
以下、本発明の実施の形態について、図面を参照して具体的に説明する。
【００２３】
（第１実施形態）
図１は、本発明の実施の形態にかかる光ディスク装置１００を模式的に示す平面図である。図１において、光ディスク装置１００は、筐体１と、筐体１に内蔵される制御装置３と、制御装置３に第１の通信経路４で接続され、筐体１の前面に配置し、または、露出する筐体面上の発光素子（以下、第１の発光素子という。）５とを有する。制御装置３はＣＰＵ等から構成され、また、発光素子５は、例えば、ＬＥＤ（Light Emitting Diode）等で構成される。
【００２４】
また、制御装置３には、筐体１の背面に形成される出力端子９が第２の通信経路６で接続され、当該出力端子９には筐体外部の発光素子（以下、第２の発光素子という。）７が接続される。さらに、制御装置３には、筐体１の背面に形成される通信路１５が接続され、外部に配置される入出力装置１３と当該通信路１５を介してデータの送受信を行われる。
【００２５】
このように構成される光ディスク装置１００に光ディスク１１が搭載され、駆動を開始すると、外部に設置されるＰＣ等の入出力装置１３は通信路１５を介して光ディスク１１とデータの送受信を行う。この際、データの送受信が行われているか否か、すなわち、光ディスク１１にアクセス中であるか否かを制御装置３が検出し、例えば、光ディスク１１にアクセス中であれば、第１の発光素子５を点灯するように制御し、そうでない場合には、第１の発光素子５を消灯するように制御する。また、例えば、光ディスク１１に破損等が生じており、記録されている情報を読取ることができない場合には、第１の発光素子５を点滅するように制御する。
【００２６】
そして、上述した第１の発光素子５への制御と同期して、第２の発光素子７を制御する。すなわち、例えば、光ディスク１１にアクセス中であれば、制御装置３は、出力端子９を介して第２の発光素子７を点灯するように制御し、そうでない場合には、出力端子９を介して第２の発光素子７を消灯するように制御する。したがって、本実施形態においては、第１の発光素子５と第２の発光素子７は、同一の発光動作を行うことになる。
【００２７】
次に、上述した光ディスク装置１００を内蔵した入出力装置２００ついて図２を参照して説明する。
【００２８】
図２に示すように、入出力装置２００は、光ディスク装置１００と、基板となるマザーボード１７と、これらを囲う入出力装置用筐体１９とを備える。そして、マザーボード１７には入出力装置２００を総括的に動作させる入出力装置用制御装置２１が搭載される。入出力装置用制御装置２１は、光ディスク装置１００の通信路１５と接続され、光ディスク１１に記録される情報の送受信が行われる。
【００２９】
入出力装置用筐体１９の前面には光ディスク装置１００の前面を覆うように蓋２３が垂直方向に移動可能に取り付けられる。すなわち、蓋２３は、閉じられた状態において、光ディスク装置１００の前面に形成された第１の発光素子５を覆うことになり、例えば、蓋２３が光を遮るものであれば、第１の発光素子５が発光動作を行ってもユーザは把握することができない。そのため、入出力装置用制御装置２１が光ディスク１１とアクセス中であるか否か、また、光ディスク１１に破損などがありエラー情報を出力しているか否かなどユーザは把握することができない。
【００３０】
一方、光ディスク装置１００に形成された出力端子９は、第２の発光素子７に第２の通信経路６で接続されており、第２の発光素子７は入出力装置用筐体１９から露出している。そして、当該第２の発光素子７は、図２に示すとおり、第１の発光素子５を覆うような蓋２３によって覆われていない。したがって、第１の発光素子５と発光動作において同期をとる第２の発光素子７は、第１の発光素子５と同一の発光動作をユーザに視認させることが可能となる。
【００３１】
このように、光ディスク装置１００の前面に形成される第１の発光素子５によって光ディスク装置１００の状態をユーザが把握することができなくても、第１の発光素子５に同期させる出力端子９を光ディスク装置１００に形成し、当該出力端子９から第２の発光素子７を制御することで、ユーザに光ディスク装置１００の状態を正確に把握させることができる。
【００３２】
さらには、入出力装置２００に蓋２３が形成されておらず、かつ、光ディスク装置１００の前面にデザイン上、第１の発光素子５が形成されていない場合であっても、第２の発光素子７のみによって、ユーザに光ディスク装置１００の状態を正確に把握させることができる。
【００３３】
上述した内容は、例えばタワー型の入出力装置２５０についても適用できる。図３は、タワー型の入出力装置（以下、タワー型入出力装置という。）２５０の正面図であるが、図３に示すように、タワー型入出力装置用筐体２４の前面には、タワー型入出力装置２５０を起動する電源ボタン２６と、電源の入力の有無によって発光する電源用発光素子２８と、ハードディスクドライブへのアクセス状況によって発光するハードディスクドライブ用発光素子３０とが形成されている。
【００３４】
また、図３（ａ）に示すように、蓋２３が取り付けられていない入出力装置２５０においては、光ディスク装置１００がタワー型入出力装置用筐体２４の前面に露出され、第１の発光素子５は外部に視認できる状態となっているが、図３（ｂ）に示すように、蓋２３が取り付けられている入出力装置２５０においては、第２の発光素子７をタワー型入出力装置用筐体２４の外面の中で蓋２３に覆われていない箇所に設置することで、上述した内容と同様の効果を得ることができる。
【００３５】
（第２実施形態）
次に、本発明に係る第２実施形態のついて図面を参照して説明する。なお、図１に示される光ディスク装置１００の各部と同様の構成には同一符号を付し、その説明を省略する。
【００３６】
図４は光ディスク装置３００を模式的に示す平面図である。図４に示すように、光ディスク装置３００は、筐体１と、筐体１に内蔵される制御装置２５と、制御装置２５に第１の通信経路４で接続され、筐体１の前面から露出する第１の発光素子５とを有する。また、制御装置２５には筐体１の背面に形成される出力端子９が第２の通信経路６で接続され、そして、制御装置２５には通信路１５が接続される。さらに、出力端子９には、例えば、第２の発光素子７が接続される。
【００３７】
より詳しくは、制御装置２５は点滅信号発生器２７を備え、当該点滅信号発生器２７が第１の発光素子５に第１の通信経路４で接続される。点滅信号発生器２７は所定の条件から第１の発光素子５へ出力する点滅信号を発生させる機能を有する。また、制御装置２５は出力端子用点滅信号発生器２９を備え、当該出力端子用点滅信号発生器２９が出力端子９に第２の通信経路６で接続される。出力端子用点滅信号発生器２９は所定の条件から出力端子９へ出力する出力端子用点滅信号を発生させる機能を有する。
【００３８】
さらに、点滅信号発生器２７には光ディスク装置３００に内蔵された記憶装置３１が接続され、出力端子用点滅信号発生器２９には光ディスク装置３００に内蔵された出力端子用記憶装置３３が接続される。記憶装置３１及び出力端子用記憶装置３３は、例えば、ＳＲＡＭ(Static Random Access Memory)やフラッシュメモリなどで構成される。記憶装置３１には第１の発光素子５を点滅させる点滅パターンデータが記憶され、また、出力端子用記憶装置３３には出力端子９に送信される出力端子用点滅パターンデータが記憶される。
【００３９】
点滅パターンデータは光ディスク装置３００が製造される際にファームウェアで規定され、予め記憶装置２７に記憶されており、当該データをユーザの嗜好に合わせた点滅パターンとすることはできない。しかしながら、出力端子用点滅パターンデータは、外部に配置される入出力装置１３等から通信路１５を介して出力端子用記憶装置３３に記憶させ、使用したり、光ディスク装置３００に内蔵されるデータ貯蓄手段３５に予め用意された出力端子用点滅パターンデータをユーザの好みに応じて出力端子用記憶装置３３に記憶させ、使用したりすることができる。
【００４０】
出力端子用点滅パターンデータは、例えば、点滅パターンデータと同一のデータとしたり、常時点灯とするデータとしたり、常時消灯とするデータとしたり、派手な高速点滅や発光色を変化させるデータとしたり、発光色の明るさをなだらかに変化させるデータとしたり、パルス状のデータとしたり、その他ユーザの定義したデータとすることができる。
【００４１】
このように構成された光ディスク装置３００の制御装置２５に、状態コードデータ及び点滅基準クロック信号が入力されると、制御装置２５の内部または外部で点滅信号発生器２７に入力される状態コードデータ及び点滅基準クロック信号と、出力端子用点滅信号発生器２９に入力される状態コードデータ及び点滅基準クロック信号とに分岐される。
【００４２】
点滅信号発生器２７では、入力された状態コードデータ及び点滅基準クロック信号と、点滅パターンデータから点滅信号を発生させ、第１の発光素子５へ出力する。一方、出力端子用点滅信号発生器２９では、入力された状態コードデータ及び点滅基準クロック信号と、出力端子用点滅パターンデータから出力端子用点滅信号を発生させ、出力端子９へ出力する。
【００４３】
したがって、光ディスク装置３００の状態は第１の発光素子５及び出力端子９に接続される第２の発光素子７の点滅等によって表されるが、例えば、上述した点滅パターンデータと出力端子用点滅パターンデータを異ならせるようにした場合、第１の発光素子５と第２の発光素子７との点滅は同一とはならない。
【００４４】
このように、制御装置２５に出力端子用点滅信号発生器２９を設け、当該出力端子用点滅信号発生器２９に入力される出力端子用点滅パターンデータを記憶させる出力端子用記憶装置３３を光ディスク装置３００内に設けることで、外部に配置される入出力装置１３等からユーザの所望の点滅パターンデータを適宜入力することができるようになり、当該点滅パターンデータを使用することで、ユーザは光ディスク装置３００の状態を、例えば、第２の発光素子７から所望の点滅パターンによって把握することができるようになる。
【００４５】
仮に当該光ディスク装置３００を図示しない入出力装置用筐体に搭載し、光ディスク装置３００の前面が光を遮る蓋２３等で覆われることになっても、入出力装置用筐体１９から第２の発光素子７を露出させることで、ユーザの所望の点滅パターンによって光ディスク装置３００の状態を正確に把握することが可能となる。
【００４６】
なお、本発明は、上述した第１実施形態及び第２実施形態に限定されるものではなく、その要旨を逸脱しない範囲内で種々変形して実施することが可能である。例えば、上述した実施形態では、発光素子を点滅等させ、ユーザの視覚によって光ディスク装置の状態を把握させたが、ユーザに光ディスクの駆動状態を報知させる手段（報知手段）であればよく、発光素子に代わって動作状況を示す報知手段として圧電ブザー等の発音素子を使用することで、ユーザの聴覚によって光ディスク装置の状態を把握させることもできる。
【００４７】
また、出力端子から接続される発光素子を、報知手段として、振動モータ等を搭載したマウス等の入力装置に代え、当該振動モータを振動させることでユーザの触覚によって光ディスク装置の状態を報知させることもできる。
【００４８】
さらに、上述した実施形態においては１つの出力端子を使用した場合について説明したが、出力端子の数は１つに限られず、複数使用して、それぞれに異なる発光素子、発音素子等を接続してもよい。複数の発光素子を組み合わせ、発光素子の発色をユーザの所望の発色に変更することも可能である。出力端子の設置場所に関しても、背面に限られず、入出力装置用筐体に対し接触妨害とならない範囲で側面や天井面等に設置してもよい。
【産業上の利用可能性】
【００４９】
以上、説明したように、本発明に係る光ディスク装置は、マザーボードを介さずに直接光ディスク装置に搭載される制御装置によってアクセスランプを制御することができ産業上の利用可能性が高い。
【図面の簡単な説明】
【００５０】
【図１】図１は、第１実施形態における光ディスク装置を模式的に示す平面図である。
【図２】図２は、第１実施形態における光ディスク装置を搭載した入出力装置を模式的に示す平面図である。
【図３】図３は、タワー型入出力装置の正面図である。
【図４】図４は、第２実施形態における光ディスク装置を模式的に示す平面図である。
【図５】図５は、従来の光ディスク装置を模式的に示す平面図である。
【図６】図６は、従来の光ディスク装置を搭載した入出力装置を模式的に示す平面図である。
【符号の説明】
【００５１】
１  筐体
３、２５、３７  制御装置
４  第１の通信経路
５  第１の発光素子
６  第２の通信経路
７  第２の発光素子
９  出力端子
１１、５５  光ディスク
１３  入出力装置
１５、５３  通信路
１７、４５  マザーボード
１９、４７  入出力装置用筐体
２１、５１  入出力装置用制御装置
２３、５９  蓋
２４  タワー型入出力装置用筐体
２６  電源ボタン
２７、４１  点滅信号発生器
２８  電源用発光素子
２９  出力端子用点滅信号発生器
３０  ハードディスクドライブ用発光素子
３１、４３  記憶装置
３３  出力端子用記憶装置
３５  データ貯蓄手段
３９、４９  アクセスランプ
５７  入出力装置用出力端子
１００、３００、４００  光ディスク装置
２００、５００  入出力装置
２５０  タワー型入出力装置
【図１】
2008010044.tif 000003
【図２】
2008010044.tif 000004
【図３】
2008010044.tif 000005
【図４】
2008010044.tif 000006
【図５】
2008010044.tif 000007
【図６】
2008010044.tif 000008